(57)【特許請求の範囲】
【請求項１】
病室の入口付近に設置され病室の案内情報を示す画面を表示するための表示ユニット（１０）を有する映像表示器（１）と、病室のベッド付近に設置され前記映像表示器と接続されて患者がナースを呼び出すための呼出ボタン（２ａ、２ｂ）とから構成される映像表示装置であって、
前記映像表示器は、前記表示する情報を予め記録して表示画面の映像信号を出力する画面録画再生ユニット（１４）と、患者が呼び出していることを示す呼出表示灯（１１ａ、１１ｂ）と、前記呼出表示灯を確認して操作されたとき前記呼出表示灯を消灯させる復旧ボタン（１２）と、前記表示ユニットの前方に立った人体を感知するための人感センサ（１３）と、前記呼出ボタン、前記人感センサ、前記復旧ボタンが接続され前記呼出表示灯、前記画面録画再生ユニットを制御する制御ユニット（１５）と、前記人感センサが前記映像表示器の前方の人体を感知したときには、病室の所在情報を示すイラストや写真等で構成される第１画面を前記制御ユニットの制御により前記画面録画再生ユニットから読み出して前記表示ユニットに表示させ、前記復旧ボタンの操作者が当該復旧ボタンを一定時間以上操作し続けたときには、前記操作を検出した前記制御ユニットの制御により病室の患者情報等で構成される第２画面を前記画面録画再生ユニットから切替えて読み出して一定時間、前記表示ユニットに表示させる映像切替手段（１４ｃ）とを備えたことを特徴とする映像表示装置。
【請求項２】
前記復旧ボタンの操作者による当該復旧ボタンの所定回数続けての操作が前記制御ユニットにて検出されると、前記映像切替手段は、前記制御ユニットの制御により前記第２画面を前記画面録画再生ユニットから読み出して一定時間、前記表示ユニットに表示させることを特徴とする請求項１記載の映像表示装置。
【発明の詳細な説明】
【０００１】
【発明の属する技術分野】
本発明は病院等に設置される映像表示装置に係り、病室の患者情報等の表示による当該情報の安易な漏洩を防止し、患者のプライバシーを保護させた映像表示装置に関する。
【０００２】
【従来の技術および発明が解決しようとする課題】
従来から、ナースセンターに設置されたデータ伝送装置と病室の入口付近に設置された患者情報盤との間においてデジタル伝送を行ない、病院にて必要とされる患者の各種情報を液晶表示する特開平１０−１９２３４９号公報掲載のナースコールシステムの情報表示装置が提案されている。
【０００３】
しかしながら、従来例をなすナースコールシステムの情報表示装置においては、不審者等の第三者が誤ってタッチパネル部に触れた場合にも容易に患者の各種情報が表示されることから、患者の各種情報の漏洩の要因となり、当該患者のプライバシーを保護することができない難点があった。
【０００４】
本発明は上述の難点を解消するためになされたもので、病室の患者情報等の表示による当該情報の安易な漏洩を防止し、患者のプライバシーを保護させた映像表示装置を提供することを目的とする。
【０００５】
【課題を解決するための手段】
このような難点を解消するため、本発明による映像表示装置は、病室の入口付近に設置され病室の案内情報を示す画面を表示するための表示ユニットを有する映像表示器と、病室のベッド付近に設置され映像表示器と接続されて患者がナースを呼び出すための呼出ボタンとから構成される映像表示装置であって、映像表示器は、表示する情報を予め記録して表示画面の映像信号を出力する画面録画再生ユニットと、患者が呼び出していることを示す呼出表示灯と、呼出表示灯を確認して操作されたとき呼出表示灯を消灯させる復旧ボタンと、表示ユニットの前方に立った人体を感知するための人感センサと、呼出ボタン、人感センサ、復旧ボタンが接続され呼出表示灯、画面録画再生ユニットを制御する制御ユニットと、人感センサが映像表示器の前方の人体を感知したときには、病室の所在情報を示すイラストや写真等で構成される第１画面を制御ユニットの制御により画面録画再生ユニットから読み出して表示ユニットに表示させ、復旧ボタンの操作者が当該復旧ボタンを一定時間以上操作し続けたときには、操作を検出した制御ユニットの制御により病室の患者情報等で構成される第２画面を画面録画再生ユニットから切替えて読み出して一定時間、表示ユニットに表示させる映像切替手段とを備えたものである。
【０００６】
また、本発明による映像表示装置は、復旧ボタンの操作者による当該復旧ボタンの所定回数続けての操作が制御ユニットにて検出されると、映像切替手段は、制御ユニットの制御により第２画面を画面録画再生ユニットから読み出して一定時間、表示ユニットに表示させるものである。
【０００７】
このような映像表示装置によれば、病室の入口付近に設置される映像表示器の前方に立つ人物を人感センサが感知すると、制御ユニットの制御により画面録画再生ユニットをなす映像切替手段が切替えられ、所在情報メモリに予め録画（記録）されたイラストや写真等で構成される第１画面が表示ユニットにて一定時間表示される。また、ベッド付近に設置された呼出ボタンが操作されると、制御ユニットの制御により呼出表示灯が点滅され、これを消灯させるためには復旧ボタンを操作し、この復旧ボタンを一定時間以上または所定回数操作すると、制御ユニットの制御により画面録画再生ユニットをなす映像切替手段が切替えられ、患者情報メモリに予め録画（記録）された病室の患者情報等で構成される第２画面が表示ユニットにて一定時間表示される。これにより、病室の患者情報等の表示による当該情報の安易な漏洩が防止され、患者のプライバシーを保護することができる。
【０００８】
【発明の実施の形態】
以下、本発明による映像表示装置を適用した好ましい形態の一実施例について、図面を参照して説明する。
【０００９】
図１は本発明による映像表示装置の一実施例を示す（全体）構成図であり、病室の入口付近に設置され当該病室の所在情報を示すイラストや写真等で構成される第１画面、または病室の患者情報（氏名、病名）等で構成される第２画面を表示する表示ユニット１０を有する映像表示器１と、病室のベッド付近に設置され当該ベッドを使用する病床の患者がナースを呼出すために操作する呼出ボタン、ここでは２台の呼出ボタン２ａ、２ｂとで構成されている。また、呼出ボタン２ａ、２ｂは、呼出伝送ラインＬ1a、Ｌ1bを介して映像表示器１をなす呼出接続端子Ｔ1a、Ｔ1bにそれぞれ接続されている。
【００１０】
映像表示器１の筐体面には、上述の表示ユニット１０と、呼出ボタン２ａ、２ｂの操作による患者からの呼出しをナースに報知するために点滅される呼出表示灯１１ａ、１１ｂと、ナースにより点滅が確認された当該呼出表示灯を消灯させる、または表示ユニット１０に病室の患者情報等で構成される第２画面を表示させるために適宜に操作される復旧ボタン１２と、図３の動作説明図に示すように当該映像表示器の前方に立った人体Ｈｕ1を感知するための所定の感知エリアＡ1を有する人感センサ１３とが備えられている。
【００１１】
図２は図１の映像表示器１の具体的な構成を示すブロック図であり、上述の表示ユニット１０、呼出表示灯１１ａ、１１ｂ、復旧ボタン１２、人感センサ１３と、表示ユニット１０に表示させる第１画面の映像信号が予め録画（記録）されている所在情報メモリ１４ａ、第２画面の映像信号が予め録画（記録）されている患者情報メモリ１４ｂ、後述する制御ユニット１５の制御により切替えられ所在情報メモリ１４ａからの第１画面の映像信号または患者情報メモリ１４ｂからの第２画面の映像信号を表示ユニット１０に伝送させる信号伝送路を形成する映像切替手段をなすメモリ切替スイッチ１４ｃからなる画面録画再生ユニット１４と、計時機能を備えたタイマー回路１５ａを有し呼出ボタン２ａ、２ｂおよび当該映像表示器をなす呼出表示灯１１ａ、１１ｂ、復旧ボタン１２、人感センサ１３、画面録画再生ユニット１４を制御する制御ユニット１５とが備えられている。
【００１２】
制御ユニット１５をなす第１、第２の制御入力端子Ｐ1、Ｐ2には、各呼出接続端子Ｔ1a、Ｔ1bに接続される呼出伝送ラインＬ1a、Ｌ1bを介して呼出ボタン２ａ、２ｂがそれぞれ接続されており、第３、第４の制御入力端子Ｐ3、Ｐ4には、復旧ボタン１２、人感センサ１３がそれぞれ接続されている。また、制御ユニット１５をなす第１、第２の制御出力端子Ｐ5、Ｐ6には、呼出表示灯１１ａ、１１ｂがそれぞれ接続されており、第３、第４の制御出力端子Ｐ7、Ｐ8には、画面録画再生ユニット１４をなすメモリ切替スイッチ１４ｃの制御入力部がそれぞれ接続されている。更に、第１、第２のメイク接点Ｐ12、Ｐ13に所在情報メモリ１４ａ、患者情報メモリ１４ｂがそれぞれ接続されたメモリ切替スイッチ１４ｃの切替接点Ｐ11には、表示ユニット１０が接続されている。
【００１３】
このように構成された映像表示装置において、以下、その動作について説明する。
【００１４】
図３の動作説明図に示すように、病室の入口付近に設置された映像表示器１をなす人感センサ１３が、感知エリアＡ1内に人物Ｈｕ1が立っていることを感知すると、当該人感センサから出力された人体感知信号Ｓ1が制御ユニット１５をなす第４の制御入力端子Ｐ4に入力され、当該第４の制御入力端子の電圧レベルはLow（以下、Ｌレベルと称す）からHigh（以下、Ｈレベルと称す）となる。これを検出した制御ユニット１５の制御によりタイマー回路１５ａの計時機能が能動となり、一定時間ｔ1内において電圧レベルがＬレベルからＨレベルとなる第３の制御出力端子Ｐ7より画面録画再生ユニット１４をなすメモリ切替スイッチ１４ｃに所在情報メモリ１４ａから表示ユニット１０間の信号伝送路を形成させるための第１画面再生起動信号Ｓ2が出力される。これにより、画面録画再生ユニット１４をなすメモリ切替スイッチ１４ｃが切替えられ、メモリ切替スイッチ１４ｃを介して選択された所在情報メモリ１４ａに予め録画されている第１画面の映像信号Ｓ3が当該メモリ切替スイッチをなす閉成された第１のメイク接点Ｐ12、切替接点Ｐ11を介して表示ユニット１０に伝送され、当該表示ユニットにて図３の動作説明図に示すような病室の所在情報を示すイラストや写真等で構成される第１画面として一定時間ｔ1表示される。また、制御ユニット１５をなすタイマー回路１５ａにて一定時間ｔ1のタイムアップが検出されると、第３の制御出力端子Ｐ7の電圧レベルがＨレベルからＬレベルとなり当該第１画面再生起動信号の出力は停止され、画面録画再生ユニット１４なす所在情報メモリ１４ａから表示ユニット１０への信号伝送路が開放されることから、当該表示ユニットでの第１画面の表示はオフとなる。
【００１５】
次に、呼出ボタン２ａが設置されたベッドを使用する病床の患者がナースを呼出すための動作、映像表示器１をなす表示ユニット１０に病室の患者情報等で構成される第２画面を表示させるための動作について、図５、図６のフローチャートをそれぞれ参照して説明する。
【００１６】
当該病床の患者が呼出ボタン２ａを操作すると（ステップＳＴ1、ＳＴ2、ＳＴ21、ＳＴ22）、映像表示器１をなす呼出接続端子Ｔ1aに接続され直流電圧が重畳されている呼出伝送ラインＬ1aの電圧レベルが電圧降下され、この呼出伝送ラインＬ1aを介して制御ユニット１５をなす第１の制御入力端子Ｐ1に呼出信号Ｓ11aが入力されることにより、当該第１の制御入力端子の電圧レベルはＨレベルからＬレベルとなる。これを検出した制御ユニット１５をなす第１、第２の制御出力端子Ｐ5、Ｐ6の電圧レベルは一定周期でＬ／Ｈレベルを繰り返すことから、この周期で出力される制御信号Ｓ12a、Ｓ12bにより呼出表示灯１１ａ、１１ｂがそれぞれ点滅される（ステップＳＴ3、ＳＴ23）。
【００１７】
映像表示器１をなす呼出表示灯１１ａ、１１ｂの点滅により、呼出ボタン２ａが設置されたベッドを使用する病床の患者からの呼出しを確認したナース、ここでは図４の動作説明図に示すような人物Ｈｕ2が、当該呼出表示灯を消灯させるために復旧ボタン１２を操作すると（ステップＳＴ4、ＳＴ24）、制御ユニット１５なす第３の制御入力端子Ｐ3に復旧信号Ｓ13が入力され、当該第３の制御入力端子の電圧レベルはＬレベルからＨレベルとなる。これを検出した制御ユニット１５をなす第１、第２の制御出力端子Ｐ5、Ｐ6の電圧レベルは一定周期で繰り返されるＬ／ＨレベルからＬレベルとなり当該制御信号の出力が停止され、呼出表示灯１１ａ、１１ｂはそれぞれ消灯されるとともに（ステップＳＴ5、ＳＴ25）、タイマー回路１５ａの計時機能が能動となり、当該タイマー回路にて計時される一定時間ｔ2内において復旧ボタン１２の操作状態、即ち第３の制御入力端子Ｐ3の電圧レベルが監視される（ステップＳＴ7、ＳＴ27、ＳＴ28）。
【００１８】
ここで、映像表示器１をなす表示ユニット１０に病室の患者情報等で構成される第２画面を表示させるための第１の動作として（図５のフローチャート参照）、上述の制御ユニット１５をなすタイマー回路１５ａにて計時される一定時間ｔ2以上経過後において、ナースにより復旧ボタン１２が操作されていると（ステップＳＴ8）、制御ユニット１５なす第３の制御入力端子Ｐ3の電圧レベルはＨレベルで保持されている。これを検出した制御ユニット１５は復旧ボタン１２が呼出表示灯１１ａ、１１ｂへの消灯操作から一定時間ｔ2以上継続して操作されていると判断し、タイマー回路１５ａの計時機能を能動とさせ（ステップＳＴ9）、一定時間ｔ3内において電圧レベルがＬレベルからＨレベルとなる第４の制御出力端子Ｐ8より画面録画再生ユニット１４をなすメモリ切替スイッチ１４ｃに患者情報メモリ１４ｂから表示ユニット１０間の信号伝送路を形成させるための第２画面再生起動信号Ｓ21を出力する。これにより、画面録画再生ユニット１４をなすメモリ切替スイッチ１４ｃが切替えられ、メモリ切替スイッチ１４ｃを介して選択された患者情報メモリ１４ｂに予め録画されている第２画面の映像信号Ｓ22が当該メモリ切替スイッチをなす閉成された第２のメイク接点Ｐ13、切替接点Ｐ11を介して表示ユニット１０に伝送され、当該表示ユニットにて図４の動作説明図に示すような病室の患者情報等で構成される第２画面が一定時間ｔ3表示される（ステップＳＴ10）。また、制御ユニット１５をなすタイマー回路１５ａにて一定時間ｔ3のタイムアップが検出されると（ステップＳＴ11）、第４の制御出力端子Ｐ8の電圧レベルがＨレベルからＬレベルとなり当該第２画面再生起動信号の出力は停止され、画面録画再生ユニット１４なす患者情報メモリ１４ｂから表示ユニット１０への信号伝送路が開放されることから、当該表示ユニットでの第２画面の表示はオフとなりスタート（待受状態）に戻る（ステップＳＴ12）。
【００１９】
また、上述の第１の動作では、呼出ボタン２ａが設置されたベッドを使用する病床の患者からの呼出しを確認したナースにより、映像表示器１をなす表示ユニット１０に病室の患者情報等で構成される第２画面を表示させるための動作について説明したが、ナースが患者からの呼出しを待受けしている待受時のように、映像表示器１をなす呼出表示灯１１ａ、１１ｂが点滅されていなくても、上述と同様な復旧ボタン１２の操作および制御ユニット１５をなすタイマー回路１５ａの計時機能とその制御機能により、画面録画再生ユニット１４をなす患者情報メモリ１４ｂに予め録画されている第２画面の映像信号Ｓ22を表示ユニット１０に伝送させ、当該表示ユニットにて図４の動作説明図に示すような病室の患者情報等で構成される第２画面を表示させることもでき（ステップＳＴ1、ＳＴ2、ＳＴ6、ＳＴ7〜ＳＴ10）、この第２画面の表示は制御ユニット１５をなすタイマー回路１５ａにて検出される一定時間ｔ3のタイムアップとともにオフとなりスタート（待受状態）に戻る（ステップＳＴ11、ＳＴ12）。
【００２０】
次に、映像表示器１をなす表示ユニット１０に病室の患者情報等で構成される第２画面を表示させるための第２の動作として（図６のフローチャート参照）、上述の制御ユニット１５をなすタイマー回路１５ａにて計時される一定時間ｔ2内、即ち復旧ボタン１２の操作状態（制御ユニット１５をなす第３の制御入力端子Ｐ3の電圧レベル）が監視されている時間内において（ステップＳＴ28）、ナースにより復旧ボタン１２が再度操作されると、制御ユニット１５なす第３の制御入力端子Ｐ3に復旧信号Ｓ13が（再度）入力され、当該第３の制御入力端子の電圧レベルはＬレベルからＨレベルとなる。これを検出した制御ユニット１５は復旧ボタン１２の操作が２回目（所定回数）の当該操作であると判断し（ステップＳＴ29）、タイマー回路１５ａの計時機能を能動とさせ（ステップＳＴ30）、一定時間ｔ3内において電圧レベルがＬレベルからＨレベルとなる第４の制御出力端子Ｐ8より画面録画再生ユニット１４をなすメモリ切替スイッチ１４ｃに患者情報メモリ１４ｂから表示ユニット１０間の信号伝送路を形成させるための第２画面再生起動信号Ｓ21を出力する。これにより、画面録画再生ユニット１４をなすメモリ切替スイッチ１４ｃが切替えられ、メモリ切替スイッチ１４ｃを介して選択された患者情報メモリ１４ｂに予め録画されている第２画面の映像信号Ｓ22が表示ユニット１０に伝送され、当該表示ユニットにて図４の動作説明図に示すような患者の情報で構成される第２画面として一定時間ｔ3表示される（ステップＳＴ31）。また、制御ユニット１５をなすタイマー回路１５ａにて一定時間ｔ3のタイムアップが検出されると（ステップＳＴ32）、第４の制御出力端子Ｐ8の電圧レベルがＨレベルからＬレベルとなり当該第２画面再生起動信号の出力は停止され、画面録画再生ユニット１４をなす患者情報メモリ１４ｂから表示ユニット１０への信号伝送路が開放されることから、当該表示ユニットでの第２画面の表示はオフとなりスタート（待受状態）に戻る（ステップＳＴ33）。更に、制御ユニット１５をなすタイマー回路１５ａにて計時される一定時間ｔ2内において、ナースにより復旧ボタン１２が操作されず一定時間ｔ2のタイムアップが検出されると、当該復旧ボタンの操作が無効とされスタート（待受状態）に戻る（ステップＳＴ34）。
【００２１】
また、上述の第２の動作では、呼出ボタン２ａが設置されたベッドを使用する病床の患者からの呼出しを確認したナースにより、映像表示器１をなす表示ユニット１０に病室の患者情報等で構成される第２画面を表示させるための動作について説明したが、ナースが患者からの呼出しを待受けしている待受時のように、映像表示器１をなす呼出表示灯１１ａ、１１ｂが点滅されていなくても、上述と同様な復旧ボタン１２の操作および制御ユニット１５をなすタイマー回路１５ａの計時機能とその制御機能により、画面録画再生ユニット１４をなす患者情報メモリ１４ｂに予め録画されている第２画面の映像信号Ｓ22を表示ユニット１０に伝送させ、当該表示ユニットにて図４の動作説明図に示すような病室の患者情報等で構成される第２画面を表示させることもでき（ステップＳＴ21、ＳＴ22、ＳＴ26、ＳＴ27〜ＳＴ31）、この第２画面の表示は制御ユニット１５をなすタイマー回路１５ａにて検出される一定時間ｔ3のタイムアップとともにオフとなりスタート（待受状態）に戻る（ステップＳＴ32、ＳＴ33）。
【００２２】
尚、上述の実施例では、映像表示器に接続される呼出ボタンを２台の当該呼出ボタンとして説明したが、これに限定されず、単一または３台以上の当該呼出ボタンを映像表示器に接続させても上述の実施例と同様な効果を奏する。
【００２３】
【発明の効果】
以上の説明から明らかなように、本発明の映像表示装置によれば、病室の患者情報等を表示させる操作に特定の機能を付加することにより、不審者等の第三者の誤った操作による当該情報の安易な漏洩が防止され、患者のプライバシーを保護することができる。
【図面の簡単な説明】
【図１】  本発明による映像表示装置の一実施例を示す（全体）構成図。
【図２】  本発明による映像表示装置の一実施例をなす映像表示器の具体的な構成を示すブロック図。
【図３】  本発明による映像表示装置の一実施例をなす映像表示器の動作として、人感センサ感知時の動作状態を示す動作説明図。
【図４】  本発明による映像表示装置の一実施例をなす映像表示器の動作として、復旧ボタン操作時の動作状態を示す動作説明図。
【図５】  本発明による映像表示装置の一実施例をなす映像表示器の動作として、病室の患者情報等を表示させる操作方法を示す（第１の）フローチャート。
【図６】  本発明による映像表示装置の一実施例をなす映像表示器の動作として、病室の患者情報等を表示させる操作方法を示す（第２の）フローチャート。
【符号の説明】
１・・・・・映像表示器
２ａ、２ｂ・・・・・呼出ボタン
１０・・・・・表示ユニット
１１ａ、１１ｂ・・・・・呼出表示灯
１２・・・・・復旧ボタン
１３・・・・・人感センサ
１４・・・・・画面録画再生ユニット
１４ｃ・・・・・映像切替手段（メモリ切替スイッチ）
１５・・・・・制御ユニット
【図１】
0004505083.tif 000002
【図２】
0004505083.tif 000003
【図３】
0004505083.tif 000004
【図４】
0004505083.tif 000005
【図５】
0004505083.tif 000006
【図６】
0004505083.tif 000007